(57)【要約】【課題】熱源機から給湯側へのスケール等の異物の流出を抑制することのできる給湯機を提供すること。【解決手段】本発明の給湯機は、湯水を加熱して出湯する熱源機（ヒートポンプユニット２００）と、熱源機から送り出された湯水が通る出湯配管１０ｆと沸き上げ配管１１ａとバイパス配管１１ｂとが接続され、異物を除去する濾過部を有する流路切替手段（三方弁４００）とを備える。流路切替手段は、出湯配管１０ｆと沸き上げ配管１１ａとを連通させて熱源機からの湯水を沸き上げ配管１１ａへ通水させる第一のモードと、出湯配管１０ｆとバイパス配管１１ｂとを連通させて熱源機からの湯水をバイパス配管１１ｂへ通水させる第二のモードとに切り替え可能であり、第一のモードと第二のモードとで濾過部の通水方向が逆転する。【選択図】図１
2012229854.tif 000002
【特許請求の範囲】
【請求項１】
湯水を加熱して出湯する熱源機と、
前記熱源機から送り出された湯水が通る出湯配管と、沸き上げ配管と、バイパス配管とが接続され、異物を除去する濾過部を有する流路切替手段と、
を備え、
前記流路切替手段は、前記出湯配管と前記沸き上げ配管とを連通させて前記熱源機からの湯水を前記沸き上げ配管へ通水させる第一のモードと、前記出湯配管と前記バイパス配管とを連通させて前記熱源機からの湯水を前記バイパス配管へ通水させる第二のモードとに切り替え可能であり、
前記第一のモードと前記第二のモードとで前記濾過部の通水方向が逆転する給湯機。
【請求項２】
前記流路切替手段は、前記出湯配管と前記沸き上げ配管および前記バイパス配管とを連通させて前記熱源機からの湯水を前記沸き上げ配管および前記バイパス配管へ通水させる第三のモードに更に切り替え可能であり、
前記第三のモードでは、前記出湯配管から前記沸き上げ配管へ流れる湯水は前記濾過部を通らず、前記出湯配管から前記バイパス配管へ流れる湯水は前記第一のモードと同じ通水方向で前記濾過部を通る請求項１記載の給湯機。
【請求項３】
水バイパス配管が前記流路切替手段に更に接続されており、
前記流路切替手段は、前記水バイパス配管と前記バイパス配管とを連通させて前記水バイパス配管から送られる湯水を前記バイパス配管へ通水させる第三のモードに更に切り替え可能であり、
前記第三のモードでは、前記水バイパス配管から前記バイパス配管へ流れる湯水は前記第一のモードと同じ通水方向で前記濾過部を通る請求項１記載の給湯機。
【請求項４】
前記熱源機から出る湯水の温度を検出する温度検出手段と、
前記熱源機による沸き上げ動作の開始時に、前記温度検出手段の検出温度に基づいて、前記流路切替手段を前記第二のモードから前記第三のモードを経て前記第一のモードへ切り替える制御手段と、
を備える請求項２または３記載の給湯機。
【請求項５】
前記熱源機による沸き上げ動作の終了時に、前記流路切替手段を前記第一のモードから前記第二のモードへ切り替える制御手段を備える請求項１乃至４の何れか１項記載の給湯機。
【発明の詳細な説明】
【技術分野】
【０００１】
本発明は、給湯機に関する。
【背景技術】
【０００２】
空気の熱を吸収して湯を沸かす、エネルギー効率に優れたヒートポンプ給湯機が広く用いられている。ヒートポンプ給湯機の加熱熱交換器では、水に含まれる硬度成分が炭酸カルシウムなどの固形物として配管の内面に析出して付着する。このような析出付着物は、スケールと呼ばれる。このスケールが剥がれたものが異物として給湯側に流出することを抑制する必要がある。
【０００３】
特許文献１には、沸き上げ運転停止時に、圧縮機を停止させて送水ポンプの動作を継続させることによりスケール生成防止運転を行う技術が開示されている。これにより、加熱熱交換器の出口温度を入口温度と同等まで低下させ、スケールの析出を抑制する。
【先行技術文献】
【特許文献】
【０００４】
【特許文献１】特開２００９−２４３８０８号公報
【発明の概要】
【発明が解決しようとする課題】
【０００５】
しかしながら、特許文献１に提案される方法では、既に析出したスケールが剥がれた場合に、そのスケールが給湯側へ流出することを抑止することはできない。
【０００６】
本発明は、上述のような課題を解決するためになされたもので、熱源機から給湯側へのスケール等の異物の流出を抑制することのできる給湯機を提供することを目的とする。
【課題を解決するための手段】
【０００７】
本発明に係る給湯機は、湯水を加熱して出湯する熱源機と、熱源機から送り出された湯水が通る出湯配管と、沸き上げ配管と、バイパス配管とが接続され、異物を除去する濾過部を有する流路切替手段と、を備え、流路切替手段は、出湯配管と沸き上げ配管とを連通させて熱源機からの湯水を沸き上げ配管へ通水させる第一のモードと、出湯配管とバイパス配管とを連通させて熱源機からの湯水をバイパス配管へ通水させる第二のモードとに切り替え可能であり、第一のモードと第二のモードとで濾過部の通水方向が逆転するものである。
【発明の効果】
【０００８】
本発明によれば、熱源機から給湯側へのスケール等の異物の流出を抑制することができる。また、濾過部が異物によって詰まることを確実に防止することができる。
【図面の簡単な説明】
【０００９】
【図１】本発明の実施の形態１のヒートポンプ給湯機を示す構成図である。
【図２】実施の形態１のヒートポンプ給湯機における沸き上げ回路を示す図である。
【図３】実施の形態１のヒートポンプ給湯機におけるバイパス回路を示す図である。
【図４】実施の形態１のヒートポンプ給湯機が備える三方弁（第一のモード）の断面図である。
【図５】実施の形態１のヒートポンプ給湯機が備える三方弁（第二のモード）の断面図である。
【図６】実施の形態１のヒートポンプ給湯機が備える三方弁（第三のモード）の断面図である。
【図７】実施の形態１のヒートポンプ給湯機の三方弁が第三のモードのときの通水回路を示す図である。
【図８】実施の形態１のヒートポンプ給湯機の制御部の機能構成を示す図である。
【図９】実施の形態１のヒートポンプ給湯機の沸き上げ開始時の制御のフローチャートを示す図である。
【図１０】実施の形態１のヒートポンプ給湯機の沸き上げ終了時の制御のフローチャートを示す図である。
【図１１】本発明の実施の形態２のヒートポンプ給湯機を示す構成図である。
【図１２】実施の形態２のヒートポンプ給湯機における沸き上げ回路を示す図である。
【図１３】実施の形態２のヒートポンプ給湯機におけるバイパス回路を示す図である。
【図１４】実施の形態２のヒートポンプ給湯機が備える四方弁（第一のモード）の断面図である。
【図１５】実施の形態２のヒートポンプ給湯機が備える四方弁（第二のモード）の断面図である。
【図１６】実施の形態２のヒートポンプ給湯機が備える四方弁（第三のモード）の断面図である。
【図１７】実施の形態２のヒートポンプ給湯機の四方弁が第三のモードのときの通水回路を示す図である。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の実施の形態１のヒートポンプ給湯機を示す構成図である。図１に示すヒートポンプ給湯機は、貯湯タンクユニット１００と、熱源機としてのヒートポンプユニット２００とを備えている。貯湯タンクユニット１００とヒートポンプユニット２００とは、外部配管１０ｂおよび１０ｅと、電気配線とを介して接続されている。
【００１２】
ヒートポンプユニット２００は、圧縮機２０４、加熱熱交換器２０１、絞り部２０２および吸熱熱交換器２０３を順次環状に接続した冷凍サイクルと、吸熱熱交換器２０３で空気と熱交換をさせるための送風を行う吸熱熱交換器側送風ファン２０６と、配管１０ｃ、加熱熱交換器２０１および出湯配管１０ｄが順次接続された水回路と、出湯配管１０ｄを通る湯水の温度を検出する温度検出手段２０５とを備えている。
【００１３】
貯湯タンクユニット１００は、出湯配管１０ｆ、三方弁４００（流路切替手段）、沸き上げ配管１１ａ、配管１２、タンク上部接続口１０５および貯湯タンク１０１を順次接続する沸き上げ流路と、出湯配管１０ｆ、三方弁４００、バイパス配管１１ｂ、タンク下部接続口１０６および貯湯タンク１０１を順次接続するバイパス流路と、貯湯タンク１０１、タンク底部接続口１０２、送水ポンプ１０３および配管１０ａを順次接続する送水流路と、給水配管１０８、給水接続口１０９および貯湯タンク１０１を順次接続する給水流路と、沸き上げ配管１１ａ、配管１２および給湯配管１０７が相互に連通した給湯経路と、制御部３００（制御手段）とを備えている。制御部３００は、温度検出手段２０５と三方弁４００とに電気的に接続されており、三方弁４００の動作を制御する。
【００１４】
図２は、貯湯タンク１０１内の湯水を沸き上げる沸き上げ回路を示す図である。図２に示すように、沸き上げ回路は、貯湯タンク１０１、タンク底部接続口１０２、送水ポンプ１０３、配管１０ａ、外部配管１０ｂ、配管１０ｃ、加熱熱交換器２０１、出湯配管１０ｄ、外部配管１０ｅ、出湯配管１０ｆ、三方弁４００、沸き上げ配管１１ａ、配管１２およびタンク上部接続口１０５を順次接続して構成される。
【００１５】
図３は、バイパス運転時のバイパス回路を示す図である。図３に示すように、バイパス回路は、貯湯タンク１０１、タンク底部接続口１０２、送水ポンプ１０３、配管１０ａ、外部配管１０ｂ、配管１０ｃ、加熱熱交換器２０１、出湯配管１０ｄ、外部配管１０ｅ、出湯配管１０ｆ、三方弁４００、バイパス配管１１ｂおよびタンク下部接続口１０６を順次接続して構成される。
【００１６】
図４は、三方弁４００の内部構造を示す断面図である。図４に示すように、三方弁４００は、本体４０１（ケーシング）と、この本体４０１内で回転可能なボール弁体４０２と、このボール弁体４０２内に形成されたＴ字状通路４０３と、このＴ字状通路４０３内に設置された濾過部４０４（ストレーナ）とを有している。本体４０１には、出湯配管１０ｆと連通する流体流入口４０５と、沸き上げ配管１１ａと連通する流体流出口４０６と、バイパス配管１１ｂと連通する流体流出口４０７とが設けられている。本体４０１の内部には、球状の回転弁体としてのボール弁体４０２が回動自在に配置されている。ボール弁体４０２は、例えば電気モータ等による弁体駆動手段（図示せず）によって回転駆動される。流体流出口４０６は、流体流入口４０５と直角方向に形成されている。流体流出口４０７は、流体流入口４０５と同軸方向の反対側に形成されている。本体４０１とボール弁体４０２との間には、リング状の弁座４０８，４０９，４１０，４１１を介在しており、水密性が維持されている。ボール弁体４０２のＴ字状通路４０３の同軸流路の片側内部に、濾過部４０４が止めリング４１２により固定されている。濾過部４０４は、本実施形態においては略円錐形状の金属網で構成されている。
【００１７】
図４におけるボール弁体４０２の向きは、沸き上げ運転時の向きを示している。この状態では、ボール弁体４０２が流体流入口４０５と流体流出口４０６との間のみを連通している。この状態を「第一のモード」と称する。第一のモードでは、図中の矢印に示すように、出湯配管１０ｆから沸き上げ配管１１ａに向かって通水する。
【００１８】
図５は、バイパス運転時の三方弁４００のボール弁体４０２の向きを示す図である。図５に示すように、ボール弁体４０２が第一のモードから反時計回りに９０度回転すると、流体流入口４０５と流体流出口４０７との間のみを連通する状態となる。この状態を「第二のモード」と称する。第二のモードでは、図中の矢印に示すように、出湯配管１０ｆからバイパス配管１１ｂに向かって通水する。
【００１９】
図６は、沸き上げ開始時にバイパス運転から沸き上げ運転へ回路を切り替えるときのボール弁体４０２の向きを示す図である。図６に示すように、ボール弁体４０２が第二のモードから反時計回りに１８０度回転すると、流体流入口４０５と、流体流出口４０６および流体流出口４０７とを連通する状態となる。この状態を「第三のモード」と称する。第三のモードでは、図中の矢印で示すように、出湯配管１０ｆから沸き上げ配管１１ａに向かう方向、および、出湯配管１０ｆからバイパス配管１１ｂに向かう方向に通水する。第三のモードでは、通水する回路は、図７に示す回路となる。
【００２０】
図８は、制御部３００の機能構成を示す図である。図８に示すように、制御部３００は、計時手段３０１、弁駆動判断手段３０２および弁駆動指示手段３０３を有している。制御部３００は、本実施形態のヒートポンプ給湯機における沸き上げ開始および沸き上げ終了の際の三方弁４００のボール弁体４０２の向きの制御を行う。
【００２１】
図９は、制御部３００の沸き上げ開始時の制御のフローチャートを示す図である。図９に示すように、沸き上げ開始指示（ステップＳ５０１）が出された場合には、沸き上げ初期でバイパス運転を行うため、三方弁４００を図５の第二のモードに駆動する（ステップＳ５０２）。次いで、温度検出手段２０５の検出温度Ｔｏと所定温度Ｔｓ（例えば、４０℃）とを比較する（ステップＳ５０３）。検出温度Ｔｏが所定温度Ｔｓ未満である場合には、ステップＳ５０２に戻り、第二のモードを維持し、バイパス運転を継続する。
【００２２】
一方、ステップＳ５０３で検出温度Ｔｏが所定温度Ｔｓ以上となった場合には、計時手段３０１の時間計測カウンタｔを０へ初期化する（ステップＳ５０４）。次いで、三方弁４００を第三のモードへ切り替える（ステップＳ５０５）。これにより、図７の通水回路が構成される。続いて、時間計測カウンタｔに計時手段３０１にて単位時間（例えば１秒）を加算する（ステップＳ５０６）。そして、時間計測カウンタｔが所定の時間ｓｅｔ＿ｔ（例えば３０秒間）を経過したかどうかを判断する（ステップＳ５０７）。所定の時間ｓｅｔ＿ｔを経過していない場合には、ステップＳ５０５に戻り、第三のモードを維持する。
【００２３】
これに対し、ステップＳ５０７で時間計測カウンタｔが所定の時間ｓｅｔ＿ｔを経過したと判断された場合には、ボール弁体４０２を反時計回りに９０度回転させて三方弁４００を第一のモードに切り替える（ステップＳ５０８）。この後、貯湯タンク１０１の沸き上げが継続され、予め決められた量の沸き上げを行う。
【００２４】
図１０は、沸き上げ終了時の制御のフローチャートを示す図である。貯湯タンク１０１の沸き上げ量が予め決められた量に到達した場合には、沸き上げ終了指示が出される（ステップＳ６０１）。沸き上げ終了指示が出された場合には、三方弁４００を第二のモードに切り替える（ステップＳ６０２）。これにより、図３のバイパス運転回路が構成される。本実施形態では、沸き上げ終了時に三方弁４００を第二のモードに切り替えることにより、次回の沸き上げを迅速に開始することができる。
【００２５】
以上説明した本実施形態のヒートポンプ給湯機では、沸き上げ運転中にヒートポンプユニット２００から送り出された湯は、図４（第一のモード）に示すように、三方弁４００の濾過部４０４を通って沸き上げ配管１１ａに送られる。このため、ヒートポンプユニット２００の加熱熱交換器２０１の配管内面から剥離したスケール等の異物（以下、単に「異物」と称する）が、給湯側である沸き上げ配管１１ａに流出することを確実に抑制することができる。第一のモードでは、異物は、濾過部４０４の凸面側に堆積する。
【００２６】
また、沸き上げ開始時のバイパス運転においては、図５（第二のモード）に示すように、濾過部４０４の通水方向が第一のモードと逆転する。このため、前回の沸き上げ運転中の第一のモードで濾過部４０４に堆積した異物は、バイパス運転中（第二のモード）に、濾過部４０４から洗い流され、流体流出口４０７、バイパス配管１１ｂ、タンク下部接続口１０６を通じて、貯湯タンク１０１の下部側へ排出される。このため、濾過部４０４が異物で詰まることを確実に防止することができる。
【００２７】
バイパス運転（第二のモード）中は、濾過部４０４の凹面側に異物が堆積する可能性がある。ただし、バイパス運転の継続時間は、沸き上げ運転の継続時間に比べて短いので、濾過部４０４の凹面側に堆積する異物は僅かである。本実施形態では、バイパス運転から沸き上げ運転に切り替える際に、第二のモードから第三のモードを経て第一のモードに切り替えることにより、濾過部４０４の凹面側に堆積した異物を除去することができる。図６に示すように、第三のモードでは、出湯配管１０ｆからバイパス配管１１ｂへ流れる湯水は、第一のモードと同じ通水方向で濾過部４０４を通過する。このため、バイパス運転中（第二のモード）に濾過部４０４の凹面側に堆積した異物は、第三のモードのときに濾過部４０４から洗い流され、流体流出口４０７、バイパス配管１１ｂ、タンク下部接続口１０６を通じて、貯湯タンク１０１の下部側へ排出される。このように、本実施形態では、濾過部４０４の凹面側が異物で詰まることも確実に防止することができる。
【００２８】
なお、第三のモード（図６）では、出湯配管１０ｆから沸き上げ配管１１ａへ流れる湯水は、濾過部４０４を通らない状態となる。しかしながら、上述したように、第三のモードの継続時間は、所定の時間ｓｅｔ＿ｔに制限されており、短時間であるので、この間に異物が沸き上げ配管１１ａへ流れる可能性は低く、問題はない。
【００２９】
実施の形態２．
次に、図１１乃至図１７を参照して、本発明の実施の形態２について説明するが、上述した実施の形態１との相違点を中心に説明し、同一部分または相当部分は同一符号を付し説明を省略する。
【００３０】
図１１は、本発明の実施の形態２のヒートポンプ給湯機を示す構成図である。図１１に示すように、本実施形態の給湯機は、実施の形態１の三方弁４００に代えて四方弁８００（流路切替手段）を有している。四方弁８００には、出湯配管１０ｆ、沸き上げ配管１１ａ、バイパス配管１１ｂおよび水バイパス配管１３が接続されている。水バイパス配管１３は、送水ポンプ１０３の下流側の配管１０ａから分岐している。
【００３１】
図１２は、図１１に示すヒートポンプ給湯機における貯湯タンク１０１の湯水を沸き上げる沸き上げ回路を示す図である。沸き上げ回路は、貯湯タンク１０１、タンク底部接続口１０２、送水ポンプ１０３、配管１０ａ、外部配管１０ｂ、配管１０ｃ、加熱熱交換器２０１、出湯配管１０ｄ、外部配管１０ｅ、出湯配管１０ｆ、四方弁８００、沸き上げ配管１１ａ、配管１２およびタンク上部接続口１０５を順次接続して構成される。
【００３２】
図１３は、図１１に示すヒートポンプ給湯機におけるバイパス運転時のバイパス回路を示す図である。バイパス回路は、貯湯タンク１０１、タンク底部接続口１０２、送水ポンプ１０３、配管１０ａ、外部配管１０ｂ、配管１０ｃ、加熱熱交換器２０１、出湯配管１０ｄ、外部配管１０ｅ、出湯配管１０ｆ、四方弁８００、バイパス配管１１ｂおよびタンク下部接続口１０６を順次接続して構成される。
【００３３】
図１４は、四方弁８００の内部構造を示す断面図である。図１４に示すように、四方弁８００は、本体８０１と、ボール弁体８０２と、Ｌ字状流路８０３と、濾過部８０４とを有している。本体８０１には、出湯配管１０ｆと連通する流体流入口８０５と、沸き上げ配管１１ａと連通する流体流出口８０６と、水バイパス配管１３と連通する流体流入口８１２と、バイパス配管１１ｂと連通する流体流出口８０７とが設けられている。流体流出口８０６は、流体流入口８０５と直角方向に形成されている。流体流出口８０７は、流体流出口８０６と同軸方向の反対側に形成されている。流体流入口８１２は、流体流入口８０５と同軸方向の反対側に形成されている。ボール弁体８０２内には、Ｌ型流路８０３が形成されている。本体８０１とボール弁体８０２との間には、リング状の弁座８０８，８０９，８１０，８１１が介在され、水密性が維持されている。ボール弁体８０２のＬ字状流路８０３の流路の片側内部には、濾過部８０４が止めリング８１３により固定されている。
【００３４】
図１４は、沸き上げ運転時のボール弁体８０２の向きを示している。この状態では、ボール弁体８０２が流体流入口８０５と流体流出口８０６との間のみが連通している。この状態を「第一のモード」と称する。第一のモードでは、図中の矢印で示すように、出湯配管１０ｆから沸き上げ配管１１ａ向かって通水する。
【００３５】
図１５は、バイパス運転時のボール弁体８０２の向きを示す図である。ボール弁体８０２が第一のモードから反時計回りに９０度回転すると、流体流入口８０５と流体流出口８０７との間のみが連通する第二のモードとなる。第二のモードでは、図中の矢印で示すように、出湯配管１０ｆからバイパス配管１１ｂに向かって通水する。
【００３６】
図１６は、沸き上げ開始時にバイパス運転から沸き上げ運転へ回路を切り替えるときのボール弁体８０２の向きを示す図である。図１６に示すように、ボール弁体８０２が第二のモードから反時計回りに９０度回転した第三のモードでは、流体流入口８１２と流体流出口８０７との間のみが連通する。第三のモードでは、図中の矢印で示すように、水バイパス配管１３からバイパス配管１１ｂに向かって通水する。第三のモードでは、通水する回路は、図１７に示す回路となる。図１７に示すように、第三のモードでは、貯湯タンク１０１、タンク底部接続口１０２、送水ポンプ１０３、配管１０ａ、水バイパス配管１３、三方弁４００、バイパス配管１１ｂおよびタンク下部接続口１０６の順に通水する。
【００３７】
制御部９００は、図示を省略するが、実施の形態１の制御部３００と同様に、計時手段、弁駆動判断手段および弁駆動指示手段を有している。制御部９００が行う制御は、実施の形態１の図９および図１０のフローチャートと同様であるので、説明を省略する。
【００３８】
以上説明した本実施形態のヒートポンプ給湯機によれば、実施の形態１と同様の効果に加えて、更に次のような効果が得られる。バイパス運転から沸き上げ運転に切り替える途中の第三のモード（図１６）では、水バイパス配管１３からバイパス配管１１ｂに流れる水は、第一のモードと同じ通水方向で濾過部８０４を通過する。このため、バイパス運転中（第二のモード）に濾過部８０４の凹面側に堆積した異物は、第三のモードのときに濾過部８０４から洗い流され、流体流出口８０７、バイパス配管１１ｂ、タンク下部接続口１０６を通じて、貯湯タンク１０１の下部側へ排出される。このため、濾過部８０４の凹面側が異物で詰まることも確実に防止することができる。本実施形態では、このような第三のモードにおいて、出湯配管１０ｆから沸き上げ配管１１ａへ湯水が流れない。このため、本実施形態によれば、異物が沸き上げ配管１１ａへ流れることをより確実に抑制することができる。
【００３９】
以上説明した各実施の形態では、ヒートポンプユニット２００を熱源機とするヒートポンプ給湯機を例に説明したが、本発明は、ヒートポンプ式以外の方式の熱源機を用いる給湯機にも適用可能である。
【００４０】
また、以上説明した各実施の形態では、貯湯タンク１０１に貯湯する貯湯動作を行う場合を例に説明したが、本発明の適用範囲は、貯湯動作を行う給湯機に限定されるものではない。すなわち、本発明は、熱源機から供給される湯を直接給湯に用いる動作、熱源機から供給される湯を熱源に用いた浴槽追焚き動作、熱源機から供給される湯を熱源に用いた暖房等の熱交換負荷動作など、貯湯を伴わない給湯動作を行う給湯機にも適用可能である。
【符号の説明】
【００４１】
１０ａ，１０ｃ，１２  配管
１０ｂ，１０ｅ  外部配管
１０ｄ，１０ｆ  出湯配管
１１ａ  沸き上げ配管
１１ｂ  バイパス配管
１３    水バイパス配管
１００  貯湯タンクユニット
１０１  貯湯タンク
１０２  タンク底部接続口
１０３  送水ポンプ
１０５  タンク上部接続口
１０６  タンク下部接続口
１０７  給湯配管
１０８  給水配管
１０９  給水接続口
２００  ヒートポンプユニット
２０１  加熱熱交換器
２０２  絞り部
２０３  吸熱熱交換器
２０４  圧縮機
２０５  温度検出手段
２０６  吸熱熱交換器側送風ファン
３００，９００  制御部
３０１  計時手段
３０２  弁駆動判断手段
３０３  弁駆動指示手段
４００，８００  三方弁
４０２，８０２  ボール弁体
４０３  Ｔ字状通路
４０４，８０４  濾過部
４０５，８０５，８１２  流体流入口
４０６，４０７，８０６，８０７  流体流出口
４０８，４０９，４１０，４１１，８０８，８０９，８１０，８１１  弁座
４１２，８１３  リング
８０３  Ｌ字状流路
【図１】
2012229854.tif 000003
【図２】
2012229854.tif 000004
【図３】
2012229854.tif 000005
【図４】
2012229854.tif 000006
【図５】
2012229854.tif 000007
【図６】
2012229854.tif 000008
【図７】
2012229854.tif 000009
【図８】
2012229854.tif 000010
【図９】
2012229854.tif 000011
【図１０】
2012229854.tif 000012
【図１１】
2012229854.tif 000013
【図１２】
2012229854.tif 000014
【図１３】
2012229854.tif 000015
【図１４】
2012229854.tif 000016
【図１５】
2012229854.tif 000017
【図１６】
2012229854.tif 000018
【図１７】
2012229854.tif 000019